Podtech/llm-jp-corpus-v4-ja_patent huggingface dataset:
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
一般式(I)：
【化１】
2010515706.tif 000001
（式中、
L1、L2、L3、L4及びL5 は、互いに独立して、水素、ハロゲン、シアノ、ニトロ、C1-C4-アルキル、C1-C4-ハロアルキル、C1-C4-アルコキシ、C1-C4-ハロアルコキシ、C1-C4-アルキルカルボニル、C1-C4-ハロアルキルカルボニル、C1-C4-アルコキシカルボニル、C1-C4-アルキルアミノカルボニル又はジ-(C1-C4-アルキル)アミノカルボニルであり、
Y1、Y2、Y3は、互いに独立して、C-RY又はNであり、
ここで、置換基RYは、互いに独立して、水素及びC1-C4-アルキル（C1-C4-アルキルは、ハロゲン、シアノ、ニトロ、C1-C4-アルコキシ、C1-C2-ハロアルコキシ、C1-C4-アルキルアミノカルボニル又はジ-(C1-C4-アルキル)アミノカルボニルで一置換又は多置換されていてもよい）からなる群から選択されるか、又は
２つの隣接する置換基RYは、それらが結合している原子と一緒になって、置換されていてもよい芳香族又は部分飽和の5〜7員環を形成しており、
Xは、ヒドロキシル、塩素又は臭素である）
で表されるアリール-置換縮合ピリミジンの調製方法であって、
(i)  一般式(II)：
【化２】
2010515706.tif 000002
（式中、Rは、C1-C8-アルキルであり、置換基L1、L2、L3、L4及びL5は、上記の意味の一つを有する）
で表される2-フェニルマロネートを、一般式(III)：
【化３】
2010515706.tif 000003
で表される複素環式化合物又はその互変異性体と適当な塩基の存在下で反応させ、その際、反応中に放出される式R-OH（式中、Rは上記のとおりである）のアルコールを反応混合物から連続的に減圧下で除去し、それによって式(I)の化合物又はその塩（ここでXはOHである）を得るステップと、
一般式(I)の化合物のXが塩素又は臭素である場合には、
(ii)  ステップ(i)で得られた式(I)の化合物又はその塩と、ハロゲン化剤とを反応させるステップと
を含む、上記方法。
【請求項２】
ステップ(i)において、3-アミノ-1H-1,2,4-トリアゾールを一般式(III)の複素環式化合物の互変異性体として使用する、請求項１に記載の方法。
【請求項３】
式(II)中のRがメチル又はエチルである、請求項１又は２に記載の方法。
【請求項４】
ステップ(i)において、反応によって放出されるアルコールR-OHを、その残留濃度が最大でも1重量％になるまで除去する、請求項１〜３のいずれか１項に記載の方法。
【請求項５】
ステップ(i)において、一定温度で圧力を連続的に低下させる、請求項４に記載の方法。
【請求項６】
ステップ(i)における塩基が、少なくとも6個の炭素原子を含む3級アミンから選択される、請求項１〜５のいずれか１項に記載の方法。
【請求項７】
ステップ(i)における塩基がトリブチルアミンである、請求項６に記載の方法。
【請求項８】
一般式(I)及び(II)の化合物における置換基L1、L2、L3、L4及びL5が、互いに独立して、水素、フッ素、塩素又は臭素である、請求項１〜７のいずれか１項に記載の方法。
【請求項９】
一般式(I)及び(II)の化合物における置換基 L1、L2、L3、L4及びL5のうちの1、2又は3個が水素ではない、請求項１〜８のいずれか１項に記載の方法。
【請求項１０】
ステップ(i)で得られたXがOHである式(I)の化合物及び/又はその対応する塩を、ステップ(i)で得られた反応混合物の形態で方法のステップ(ii)で使用する、請求項１〜９のいずれか１項に記載の方法。
【請求項１１】
ステップ(ii)における反応を2〜6 barの範囲の圧力で行う、請求項１〜１０のいずれか１項に記載の方法。
【請求項１２】
ハロゲン化剤を、ステップ(i)で得られた式(I)の化合物及び/又はその対応する塩に基づいて、13:1〜17:1のモル比で使用する、請求項１〜１１のいずれか１項に記載の方法。
【請求項１３】
ステップ(ii)において、ハロゲン化剤を最初に仕込み、ステップ(i)で得られた一般式(I)の化合物及び/又はその対応する塩を反応条件下で加える、請求項１〜１２のいずれか１項に記載の方法。
【請求項１４】
ステップ(ii)における未反応のハロゲン化剤を反応終了後に蒸留によって除去する、請求項１〜１３のいずれか１項に記載の方法。
【請求項１５】
ハロゲン化剤がPOCl3である、請求項１〜１４のいずれか１項に記載の方法。
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
ＮＫ細胞活性の調節を必要としている患者においてＮＫ細胞活性を調節するための使用のための、少なくとも１つのヒト阻害性キラーＩｇ様受容体（ＫＩＲ）と結合する抗体を少なくとも０．０００３ｍｇ／ｋｇの用量で含む医薬組成物であって、前記抗体がＮＫ細胞の細胞障害活性を増強する、医薬組成物。
【請求項２】
前記用量が、０．０００３、０．００３、０．０１５、０．０７５、０．３、１、および３ｍｇ／ｋｇから選択される、請求項１に記載の医薬組成物。
【請求項３】
少なくとも１回繰り返して投与される、請求項１に記載の医薬組成物。
【請求項４】
前記抗体が、抗体１−７Ｆ９の可変重（配列番号３）領域配列および可変軽（配列番号２）領域配列を含む、請求項１〜３のいずれか一項に記載の医薬組成物。
【請求項５】
ＮＫ細胞における少なくとも５０％のＫＩＲ占有率をもたらす、請求項１〜４のいずれか一項に記載の医薬組成物。
【請求項６】
最初の用量の２４時間後に患者から採取した血液サンプル中のＮＫ細胞において、前記患者が増大したＣＤ１０７ａレベルを有する、請求項１〜５のいずれか一項に記載の医薬組成物。
【請求項７】
患者の癌を治療するための使用のための、少なくとも１つのヒト阻害性ＫＩＲに結合する抗体を含む医薬組成物であって、血漿中のＮＫ細胞において少なくとも３ヶ月間少なくとも９５％のＫＩＲ占有率を達成する用量および投与頻度で投与され、前記抗体がＮＫ細胞の細胞障害活性を増強する、医薬組成物。
【請求項８】
０．０７５〜０．３ｍｇ／ｋｇの用量が、１週間に２回〜１ヶ月に１回投与される、請求項７に記載の医薬組成物。
【請求項９】
０．３〜１ｍｇ／ｋｇの用量が、１ヶ月に１回〜２回投与される、請求項７に記載の医薬組成物。
【請求項１０】
１〜３ｍｇ／ｋｇの用量が、１ヶ月に１回〜２ヶ月間に１回投与される、請求項７に記載の医薬組成物。
【請求項１１】
前記用量および投与頻度が、以下の組み合わせ：
【表１】
2010515709.tif 000001
のいずれか１つから選択される、請求項７に記載の医薬組成物。
【請求項１２】
前記癌が、急性骨髄性白血病（ＡＭＬ）、慢性骨髄性白血病（ＣＭＬ）、多発性骨髄腫（ＭＭｙ）、非ホジキンリンパ腫（ＮＨＬ）、結腸直腸癌、腎臓癌、卵巣癌、肺癌、乳癌、または悪性メラノーマである、請求項７〜１１のいずれか一項に記載の医薬組成物。
【請求項１３】
前記抗体が、抗体１−７Ｆ９の可変重（配列番号３）領域配列および可変軽（配列番号２）領域配列を含む、請求項７〜１２のいずれか一項に記載の医薬組成物。
【請求項１４】
（ａ）抗ＫＩＲ抗体を含む容器と、
（ｂ）患者の癌を治療するための説明書を含む添付文書と、
を含む製品であって、前記説明書には、０．０７５〜３ｍｇ／ｋｇの抗ＫＩＲ抗体の用量が１週間に２回〜２ヶ月間に１回の頻度で患者に投与されることが示されている製品。
【請求項１５】
（ａ）０．０５ｍｇ／ｍＬ〜１０ｍｇ／ｍＬのＩｇＧ４抗体と、（ｂ）１０〜５０ｍＭのリン酸ナトリウムと、（ｃ）１６０〜２５０ｍＭのスクロースまたは１００ｍＭのＮａＣｌと、（ｄ）ｐＨ７のポリソルベート８０と、を含む薬学的に許容可能で活性な製剤。
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
分子をＦ−１８で標識化する方法であって、
ａ）金属の添加によりＦ−１８を活性化して、Ｆ−１８金属錯体を形成するステップと、
ｂ）前記Ｆ−１８金属錯体を分子上のキレート基に付着させるステップと、
を含む方法。
【請求項２】
前記分子は、タンパク質またはペプチドである、請求項１に記載の方法。
【請求項３】
前記金属は、アルミニウム、ガリウム、インジウム、ルテチウムまたはタリウムからなる群から選択される、請求項１に記載の方法。
【請求項４】
前記金属は、アルミニウムである、請求項１に記載の方法。
【請求項５】
前記Ｆ−１８標識化分子は、水溶液中で安定である、請求項１に記載の方法。
【請求項６】
タンパク質またはペプチドに付着したＦ−１８金属錯体を含む、Ｆ−１８標識化タンパク質またはペプチド。
【請求項７】
陽電子放出断層撮影法（ＰＥＴ）のために分子をＦ−１８で標識化する方法であって、
ａ）ＩＩＩＡ族元素の添加によりＦ−１８を活性化して、Ｆ−１８ＩＩＩＡ族元素錯体を形成するステップと、
ｂ）前記錯体を分子に付着させて、Ｆ−１８標識化分子を形成するステップと、
を含む方法。
【請求項８】
前記Ｆ−１８標識化分子は、前記Ｆ−１８標識化分子を非標識化分子から精製せずにＰＥＴに用いるための、請求項７に記載の方法。
【請求項９】
前記錯体は、Ｆ−１８含有錯体を非錯化Ｆ−１８から精製することなく前記分子に付着される、請求項８に記載の方法。
【請求項１０】
Ｆ−１８が金属に結合することを可能とする条件下で、Ｆ−１８を金属標識化分子に添加するステップを含む、分子をＦ−１８で標識化する方法。
【請求項１１】
前記Ｆ−１８標識化分子は、抗体、抗体フラグメント、または抗体コンストラクトを使用して関心部位に標的化される、請求項７に記載の方法
【請求項１２】
前記Ｆ−１８標識化分子は、二重特異性抗体を使用して関心部位に標的化される、請求項７に記載の方法。
【請求項１３】
キレート剤は、ＮＯＴＡ（１，４，７−トリアザ−シクロノナン−Ｎ，Ｎ’，Ｎ’’−三酢酸）基である、請求項１に記載の方法。
【請求項１４】
前記ペプチドは、ＩＭＰ４４９（ＮＯＴＡ−ＩＴＣベンジル−Ｄ−Ａｌａ−Ｄ−Ｌｙｓ（ＨＳＧ）−Ｄ−Ｔｙｒ−Ｄ−Ｌｙｓ（ＨＳＧ）−ＮＨ２）である、請求項２に記載の方法。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
消費者製品であって；
ａ）凝集したヒドロキシエチルセルロース組成物、
ｂ）消費者製品の活性成分の原料、および、
ｃ）水、
を含み、ここで該凝集したヒドロキシエチルセルロース組成物は、微粒子状のヒドロキシエチルセルロース、および、低分子量のヒドロキシエチルセルロース組成物を含み、ここで該消費者製品は、製薬、パーソナルケア（ただし口腔ケア組成物を除く）、および、家庭用ケア用途からなる群より選択される、上記消費者製品。
【請求項２】
前記低分子量ＨＥＣが、２％水溶液中で、約３５０ｃｐｓ未満の粘度を示す、請求項１に記載の消費者製品。
【請求項３】
前記消費者製品が、ヘアーコンディショナー、スキンローション、シャンプー、コンディショニングシャンプー、ボディ洗剤、床クリーナー及び食器洗い用液体より成る群から選択される、請求項１又は２に記載の消費者製品。
【請求項４】
前記凝集したヒドロキシエチルセルロース組成物が、４００〜８００ミクロンの粒度範囲を有する、請求項１〜３のいずれかに記載の消費者製品。
【請求項５】
前記低分子量ＨＥＣが、２％水溶液中で、約１５ｃｐｓの粘度を示す、請求項１〜４のいずれかに記載の消費者製品。
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
有害生物駆除生成物と少なくとも一種の活性剤を含有する標的有害生物を駆除するための組成物であって、
活性剤が標的有害生物中の受容体と相互作用可能であり； 
有害生物駆除生成物は活性剤なしに適用されたときに標的有害生物に対して第一活性を有し、該組成物は標的有害生物に対して第二の活性を有し；
第二活性は第一活性よりも大きく活性剤及び有害生物駆除生成物の間の相乗効果の指標である、組成物。
【請求項２】
活性剤が標的有害生物中のＧＰＣＲのリガンドを含み、ＧＰＣＲへのリガンドの結合が、標的有害生物の駆除を可能にするｃＡＭＰ又はカルシウムのレベルの変化を生じさせる、請求項１に記載の組成物。
【請求項３】
第一活性が第一期間の間持続し、第二活性が第二期間の間持続し、第二期間が第一期間よりも長い請求項１又は２に記載の組成物。
【請求項４】
標的有害生物の駆除が、死滅、ノックダウン、撥水、再生妨害、フィード妨害、標的有害生物の生活環の段階の妨害からなる群から選択される状態を含む請求項１又は２に記載の組成物。
【請求項５】
標的有害生物が、真菌、植物、動物、モネラ界生物、及び原生生物からなる群から選択される請求項１又は２に記載の組成物。
【請求項６】
標的有害生物が昆虫、クモ類、又はクモ形類動物である請求項５に記載の組成物。
【請求項７】
標的有害生物が、ダニ目、シラミ目、真正クモ目、ゴキブリ目、甲虫目、トビムシ目、ハエ目、直翅目、カメムシ亜目、ヨコバイ亜目、ハチ目、等脚目、等翅目、鱗翅目、カマキリ目、ハジラミ目、アミメカゲロウ目、トンボ目、バッタ目、チャタテムシ目、ノミ目、コムカデ目、シミ目、及び総翅目から選択される動物目に属する種である請求項１又は２に記載の組成物。
【請求項８】
標的有害生物がクロロフェノキシ化合物、カルバメート、有機リン酸、有機塩素、ピレスロイド、ネオニコチノイド、植物生成物から選択される請求項１又は２に記載の方法。
【請求項９】
有害生物駆除生成物が、２，４−Ｄアミン、２，４Ｄ ＩＢＥ、メトミル、カルボフラン、カルバリル、ＢＰＭＣ、カルベンダジム、カルボスルファン、カプタン塩酸塩、カルタップ、アセフェート、マラチオン、ダイアジノン、クロルピリホス、フェノキシカルブ、エジフェンホス、フェブコナゾール、クロルフェナピル、リン化マグネシウム、メタミドホス、フェニトロチオンＤＤＴ、ＤＤＥ、ヘプタクロルエポキシドシペルメトリン、シペルメトリン、シンメチリン、＋２，４−Ｄ ＩＢＥ、ラムダサイハロスリン、ダゾメット、シフルトリン、ベータシペルメトリン、ペンディメタリン、ペルメトリン、デルタメトリン、ビフェニスリン、アルファシペルメトリン、フェンバレレート、プロパニル、及びエスフェンバレレート、チオメトキサム、フィプロニル、クロチアニジン、イミダクロプリド、アベルメクチン、アバメクチン、スピノサド、フルオキサストロビン、インドキサカルブ、ロテノン、ニコチン、カフェイン、ジョチュウギク、精油、及び／又は固定油からなる群から選択される請求項１に記載の組成物。
【請求項１０】
ゲラニオール、リナロール、テトラヒドロリナロール、バニリン、ミスチリン酸イソプロピル、及びピペロナールを含み、更に殺虫剤を含む請求項１に記載の組成物。
【請求項１１】
組成物中のゲラニオールの量が組成物中のリナロール又はテトラヒドロリナロールの量よりも少ない、請求項１０に記載の組成物。
【請求項１２】
更にクエン酸トリエチルを含む、請求項１０に記載の組成物。
【請求項１３】
タイムオイルホワイト、ウィンターグリーンオイル及びミリスチン酸イソプロピル更に殺虫剤の配合物を組み合わせて含有する請求項１に記載の組成物。
【請求項１４】
ライラック花精油、Ｄ−リモネン、タイム油、及び更にクロチアニジンの配合物を組み合わせて含有する請求項１に記載の組成物。
【請求項１５】
標的有害生物を請求項１から１４の何れか一項に記載の組成物に接触させて、有害生物を駆除することを含む駆除方法。
【手続補正２】
【補正対象書類名】図面
【補正対象項目名】図２
【補正方法】削除
【補正の内容】
【手続補正３】
【補正対象書類名】図面
【補正対象項目名】図３
【補正方法】削除
【補正の内容】
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
（ＴｉＯ2）a（ＺｎＯ）b（ＳｎＯ）c（ＳｎＯ2）d（ＲＥxＯy）e（ＥＡＯ）f（ＭuＯv）g
［式中、ＲＥは第３副族の金属、または希土類金属であり、
ＥＡはアルカリ土類金属であり、かつ
Ｍは任意のさらなる金属である（ただし、
ａ＝０．８〜３；ｂ＝０．５〜１．３；ｃ＝０．５〜１．３；ｄ＝０〜０．５；ｅ＝０〜０．３；ｆ＝０〜０．３；ｇ＝０〜０．１、
かつｅ＋ｆ≧０．０１である）］
の、実験組成の顔料。
【請求項２】
ＲＥが元素のイットリウム、ランタン、セリウム、およびプラセオジム、およびこれらの混合物から選択されていることを特徴とする、請求項１に記載の顔料。
【請求項３】
ＥＡが元素のカルシウム、ストロンチウム、およびバリウム、ならびにこれらの混合物から選択されていることを特徴とする、請求項１または２に記載の顔料。
【請求項４】
ａ＝１．０〜３：ｂ＝０．７〜１．３；ｃ＝０．７〜１．３であることを特徴とする、請求項１から３までのいずれか１項に記載の顔料。
【請求項５】
ｆ＝０であることを特徴とする、請求項１から４までのいずれか１項に記載の顔料。
【請求項６】
ｅとｆとがその都度０．０１〜０．３であることを特徴とする、請求項１から４までのいずれか１項に記載の顔料。
【請求項７】
ｅ＝０であることを特徴とする、請求項１から４までのいずれか１項に記載の顔料。
【請求項８】
請求項１から７までのいずれか１項に記載の顔料の製造方法であって、ＴｉＯ2、ＺｎＯ、ＳｎＯ、選択的にＳｎＯ2、ＲＥxＯy、および／またはＥＡＯ、および選択的にＭuＯv、またはこれらの前駆体化合物を乾燥粉末として混合し、この粉末混合物を８００〜１１００℃の温度で不活性ガス雰囲気下でか焼し、そして得られた炉内のクリンカーを粉砕する、請求項１から７までのいずれか１項に記載の顔料の製造方法。
【請求項９】
ＹをＹ2Ｏ3として、ＬａをＬａ2Ｏ3として、ＣｅをＣｅＯ2として、そしてＰｒをＰｒ6Ｏ11として使用することを特徴とする、請求項８に記載の方法。
【請求項１０】
ａ）請求項１から７までのいずれか１項に記載の顔料を１〜９０質量％含み、かつ
ｂ）１またはそれ以上のさらなる無機顔料もしくは有機顔料、および／または１またはそれ以上のフレーク状の、金属エフェクト顔料もしくは酸化物エフェクト顔料を１０〜９９質量％含む、
顔料混合物。
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
酵素及びポリマーを含む粒子であって、１００，０００ｎｍ以下の粒子サイズを有し、かつ当該酵素及びポリマーが当該粒子内で混合物として存在し、そして当該ポリマーが、純水中において２５℃で実質的に溶解性であり、そしてＮａ２ＳＯ４の水溶液との混合液であって、当該混合液が１％ｗ／ｗのポリマーを含み、かつ１ｍｏｌ／ｋｇを超えるイオン強度を有する混合液中において２５℃で不溶性である、前記粒子。
【請求項２】
前記ポリマーが、ビニルピロリドン（ＶＰ）及び酢酸ビニル（ＶＡ）のコポリマーである、請求項１に記載の粒子。
【請求項３】
前記コポリマーが、５０〜７０％ＶＰと３０〜５０％ＶＡを含む、請求項２に記載の粒子。
【請求項４】
前記ポリマーが、２５，０００〜１００，０００Ｄａの平均分子量を有する、請求項１〜３のいずれか一項に記載の粒子。
【請求項５】
前記ポリマーと前記酵素が、互いに共有結合していない、請求項１〜４のいずれか一項に記載の粒子。
【請求項６】
前記酵素と前記ポリマーが、５以下のポリマー：酵素比で存在する、請求項１〜５のいずれか一項に記載の粒子。
【請求項７】
界面活性剤と、請求項１〜６のいずれか一項に記載の粒子とを含む、液体洗剤組成物。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
バクテリア、イースト菌、および／または黴による少なくとも１種の果物または野菜の汚染を抑制する方法であって、該方法は紫外線により誘起される劣化に対して安定化された殺微生物剤水性組成物を果物または野菜に施用することを含んで成り、該組成物は１００ｐｐｍ（重量／重量）より少ない量の活性臭素を含んでおり、且つ
水；
並びに
（Ａ）（Ｉ）分子中に少なくとも１個の臭素原子を有する少なくとも１種の固体状態の殺微生物性化合物；
（ＩＩ）分子中に少なくとも１個の臭素原子を有する少なくとも１種の固体状態の殺微生物性化合物の水溶液または水性スラリ；
（ＩＩＩ）活性臭素含量が少なくとも５０，０００ｐｐｍの濃厚な殺微生物剤水性組成物であって、該組成物は、水および（ｉ）塩素といっしょに使用される或いは使用されない塩化臭素または塩化臭素および臭素、および（ｉｉ）スルファミン酸の過塩基性アルカリ金属塩および／またはスルファミン酸、アルカリ金属塩基、および水を含んで成る成分からつくられ、ここで（ｉ）および（ｉｉ）の相対的な割合は０．９３より大きい窒素対活性臭素の原子比を与えるような割合であり、且つ該組成物のｐＨは７より大きい濃厚な殺微生物剤水性組成物；
（ＩＶ）  脱水された（ＩＩＩ）の濃厚な殺微生物剤水性組成物である固体状態の殺微生物剤組成物
から選ばれた少なくとも１種の殺微生物性成分；
および
（Ｂ）（ｉ）アスコルビン酸、（ｉｉ）デヒドロアスコルビン酸、（ｉｉｉ）アスコルビン酸の可食性の水溶性の塩またはエステル、（ｉｖ）デヒドロアスコルビン酸の可食性の水溶性の塩またはエステル、または（ｖ）（ｉ）〜（ｉｖ）の２種以上の混合物から選ばれた紫外線に対する安定剤
を含んで成る成分からつくられることを特徴とする方法。
【請求項２】
該成分は（ＩＩＩ）の濃厚な殺微生物剤水性組成物または（ＩＶ）の固体状態の殺微生物剤組成物であることを特徴とする請求項１記載の方法。
【請求項３】
該成分は（Ｉ）の少なくとも１種の固体状態の殺微生物性化合物であり、（Ｉ）の固体状態の該殺微生物性化合物は（ａ）両方のハロゲン原子が臭素原子であり、アルキル基の一つがメチル基であり他はＣ1〜4アルキル基である少なくとも１種の１，３−ジハロ−５，５−ジアルキルヒダントインであるか、または（ｂ）ハロゲン原子の一つが臭素原子であって他が塩素原子であり、両方のアルキル基が独立にＣ1〜4アルキル基である少なくとも１種の１，３−ジハロ−５，５−ジアルキルヒダントインであることを特徴とする請求項１記載の方法。
【請求項４】
（Ｉ）の固体状態の該殺微生物性化合物は両方のハロゲン原子が臭素原子であり、アルキル基の一つがメチル基であり他はＣ1〜4アルキル基である少なくとも１種の１，３−ジハロ−５，５−ジアルキルヒダントインである請求項３記載の方法。
【請求項５】
（Ｉ）の固体状態の該殺微生物性化合物はハロゲン原子の一つが臭素原子であって他が塩素原子であり、両方のアルキル基が独立にＣ1〜4アルキル基である少なくとも１種の１，３−ジハロ−５，５−ジアルキルヒダントインであることを特徴とする請求項３記載の方法。
【請求項６】
該成分は（ＩＩ）の水溶液または水性スラリであり、該（ＩＩ）の水溶液または水性スラリは（ａ）両方のハロゲン原子が臭素原子であり、アルキル基の一つがメチル基であり他はＣ1〜4アルキル基である少なくとも１種の１，３−ジハロ−５，５−ジアルキルヒダントイン、または（ｂ）ハロゲン原子の一つが臭素原子であって他が塩素原子であり、両方のアルキル基が独立にＣ1〜4アルキル基である少なくとも１種の１，３−ジハロ−５，５−ジアルキルヒダントインの水溶液または水性スラリであることを特徴とする請求項１記載の方法。
【請求項７】
（ＩＩ）の該水溶液または水性スラリは両方のハロゲン原子が臭素原子であり、アルキル基の一つがメチル基であり他はＣ1〜4アルキル基である少なくとも１種の１，３−ジハロ−５，５−ジアルキルヒダントインの水溶液または水性スラリであることを特徴とする請求項６記載の方法。
【請求項８】
該少なくとも１種の１，３−ジハロ−５，５−ジアルキルヒダントインは実質的に１，３−ジブロモ−５，５−ジメチルヒダントインであることを特徴とする請求項４または請求項７記載の方法。
【請求項９】
該（ＩＩ）の水溶液または水性スラリはハロゲン原子の一つが臭素原子であって他が塩素原子であり、両方のアルキル基が独立にＣ1〜4アルキル基である少なくとも１種の１，３−ジハロ−５，５−ジアルキルヒダントインの水溶液または水性スラリであることを特徴とする請求項６記載の方法。
【請求項１０】
該少なくとも１種の１，３−ジハロ−５，５−ジアルキルヒダントインは実質的にＮ，Ｎ’−ブロモクロロ−５，５−ジメチルヒダントインであることを特徴とする請求項５または請求項９記載の方法。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
式I：
【化１】
2010515752.tif 000001
I
［式中、
R1はCO2R5またはCONR6R7であり;
R2は
【化２】
2010515752.tif 000002
であり;
R3は水素、ハロ、アルキル、アルケニル、ヒドロキシ、ベンジルオキシ、アルコキシ、またはハロアルコキシであり;
R4はシクロアルキルであり;
R5は水素またはアルキルであり;
R6は水素、アルキル、アルキルSO2、シクロアルキルSO2、ハロアルキルSO2、(R9)2NSO2、または(R10)SO2であり;
R7は水素またはアルキルであり;
R8は水素、アルキル、シクロアルキル、(シクロアルキル)アルキル、アルキルカルボニル、アルコキシカルボニル、ベンジル、ベンジルオキシカルボニル、またはピリジニルであり;
R9は水素またはアルキルであり;
R10はアゼチジニル、ピロリジニル、ピペリジニル、N-(R11)ピペラジニル、モルホリニル、チオモルホリニル、ホモピペリジニル、またはホモモルホリニルであり;
R11は水素またはアルキルであり;そして、
該点線は、単結合または二重結合を表す］
の化合物、または医薬的に許容されるその塩。
【請求項２】
R1がCONR6R7であり;R6がアルキルSO2、シクロアルキルSO2、ハロアルキルSO2、(R9)2NSO2、または(R10)SO2であり;そしてR7が水素である、請求項１に記載の化合物。
【請求項３】
R3が水素である、請求項１に記載の化合物。
【請求項４】
R3がメトキシである、請求項１に記載の化合物。
【請求項５】
R4がシクロヘキシルである、請求項１に記載の化合物。
【請求項６】
R6が(R9)2NSO2または(R10)SO2である、請求項１に記載の化合物。
【請求項７】
該点線が単結合を表す、請求項１に記載の化合物。
【請求項８】
該点線が二重結合を表す、請求項１に記載の化合物。
【請求項９】
式：
【化３】
2010515752.tif 000003
【化４】
2010515752.tif 000004
からなる群から選択される請求項１に記載の化合物、または医薬的に許容されるその塩。
【請求項１０】
請求項１に記載の化合物もしくは医薬的に許容されるその塩および医薬的に許容される担体を含有する、Ｃ型肝炎感染症の治療のための医薬組成物。
【請求項１１】
HCVに対する治療効果を有する少なくとも１つのさらなる化合物をさらに含有する請求項１０に記載の医薬組成物であって、該化合物がインターフェロン、シクロスポリン、インターロイキン、HCVメタロプロテアーゼインヒビター、HCVセリンプロテアーゼインヒビター、HCVポリメラーゼインヒビター、HCVヘリカーゼインヒビター、HCV NS4B タンパク質インヒビター、HCVエントリーインヒビター、HCVアセンブリインヒビター、HCVイグレスインヒビター、HCV NS5A タンパク質インヒビター、HCV NS5B タンパク質インヒビター、およびHCVレプリコンインヒビターからなる群から選択される医薬組成物。
【請求項１２】
治療上有効な量の請求項１に記載の化合物もしくは医薬的に許容されるその塩およびHCVに対する治療効果を有する少なくとも１つのさらなる化合物の組み合わせを含む、Ｃ型肝炎感染症の治療のための剤。
【請求項１３】
該さらなる化合物を、請求項１に記載の化合物または医薬的に許容されるその塩より、前、後、または同時に投与することを含む、請求項１２に記載の剤。
【請求項１４】
請求項１２または１３に記載の剤であって、該さらなる化合物がインターフェロン、シクロスポリン、インターロイキン、HCVメタロプロテアーゼインヒビター、HCVセリンプロテアーゼインヒビター、HCVポリメラーゼインヒビター、HCVヘリカーゼインヒビター、HCV NS4B タンパク質インヒビター、HCVエントリーインヒビター、HCVアセンブリインヒビター、HCVイグレスインヒビター、HCV NS5A タンパク質インヒビター、HCV NS5B タンパク質インヒビター、およびHCVレプリコンインヒビターからなる群から選択される剤。
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
背もたれ上のラッチブラケットに取り付けられるように構成される本体と、
前記本体に形成される、細長で全体的にＵ形状のチャンネルであって、車内の壁から延びるストライカピンを摺動的に受容するために形成されるチャンネルと、
前記ストライカピンに及び前記ストライカピンから伝達される振動を動的に吸収するため、さらには前記ストライカピン内の相対的な寸法の変動を自動的に吸収するために、前記本体に曲げ可能な部分を形成するのに、前記Ｕ形状のチャンネルから横に離れて前記本体から延びるスタンドオフを
備える、車内につながれる移動可能な背もたれ用の動的なフック挿入物。
【請求項２】
前記本体は少なくとも一つの取り付けフランジを備える請求項１記載の挿入物。
【請求項３】
前記チャンネルは、口と、前記ストライカピンの進入を助けるために前記口の近くに溝を有する前記曲げ可能な部分を備える請求項２記載の挿入物。
【請求項４】
前記スタンドオフは、前記口の近くに配置される請求項３記載の挿入物。
【請求項５】
前記曲げ可能な部分は、前記ラッチブラケットと相互に影響して動作するためのＵ形状チャンネルから全体的に横に離れて延びる保持ストラップを備える請求項３記載の挿入物。
【請求項６】
前記本体は、前記チャンネルの一方上に一対の空間的に離された取り付けフランジを備える請求項１記載の挿入物。
【請求項７】
車内の壁に向かって示される後部面を有する背もたれと、
前記後部面から延びる固いラッチブラケットであって、前記車内の壁に固定されるストライカピンを受け入れる細長で全体的にＵ形状のスロットを含むラッチブラケットと、
前記ラッチブラケットに直接的に結合される動的なフック挿入物であり、相互に空間的に離間され、かつそれぞれの上部にて結合され、前記ラッチブラケットの前記Ｕ形状のスロットと全体的に合致する全体的に平行な一対の脚部を備えるフック挿入物と、
前記ラッチブラケットの前記スロットから全体的に横に離される前記挿入物の前記脚部の少なくとも一は、前記ストライカピンに及びストライカピンから伝達される振動を吸収するため及び前記ストライカピン内の相対的な寸法の変動を自動的に吸収するために前記ラッチブラケットに相対的に動的に移動可能な弾性的に曲がる部分を備える、
車内の壁に通常つながれるタイプの移動可能背もたれ組立て体。
【請求項８】
前記曲げ部分と前記ラッチブラケットとの間に、それらの空間を維持するためにスタンドオフを配置する請求項７記載の組み立て体。
【請求項９】
前記スタンドオフは、前記挿入物の前記曲げ部分に一体に形成される請求項８記載の組み立て体。
【請求項１０】
前記挿入物は、前記弾性的に曲げられる部分の反対の脚部に少なくとも一つの取り付けフランジを備える請求項９記載の組み立て体。
【請求項１１】
前記チャンネルは、口を備え、前記ストライカピンの進入を助けるため前記曲げ部は前記口の近くに溝を含む請求項１０記載の組み立て体。
【請求項１２】
前記スタンドオフは、前記口の近くに配置される請求項１１記載の組み立て体。
【請求項１３】
前記曲げ部は、前記ラッチブラケットを相互に影響するように動作するために前記Ｕ形状チャンネルから全体的に横に延びる保持ストラップを備える請求項１１記載の組み立て体。
【請求項１４】
前記挿入物は、相互から離間され、かつ前記ラッチブラケットをまたぐ一対の取り付けフランジを備える請求項９記載の組み立て体。
【請求項１５】
前記一対の取り付けフランジ及び前記ラッチブラケットは少なくとも二つの整列されたホールと、さらに前記ラッチブラケットに対しての動作位置に前記挿入物を保持するために前記整列されたホールを介して延設される固締部を備える請求項１４記載の組み立て体。
【請求項１６】
移動可能背もたれと車内の壁との間の結合内での振動に誘発される雑音を低減するための方法であって、
Ｕ形状のスロットを有する背もたれ上にラッチブラケットを設けるステップと、
前記スロットに相補的なＵ形状のチャンネルを有する高分子挿入物を合致するステップと、
ストライカピンを前記車内の壁に設けるステップと、
前記ストライカピンを前記チャンネル内部に摺動的に接触することによって前記背もたれを前記車内の壁につなぐステップと、
弾性的に曲がる部分を前記挿入物にあって前記ストライカピンと隣接して接触する領域に動的にそらせるように創り出すステップと
を備える方法。
【請求項１７】
前記弾性的に曲がる部分を作り出すステップは、前記挿入物の一部と前記ラッチブラケットの前記スロットとの間に空間を形成するために、前記挿入物と前記ラッチブラケットのスロットとの間にスタンドオフを挿入するステップを含む請求項１６記載の組み立て体。
【請求項１８】
前記スロットに合致するステップは、前記弾性的に曲がる部分を前記保持ストラップにより前記ラッチブラケットに相対的に位置させるステップを含む請求項１６記載の組み立て体。
【手続補正書】
【提出日】平成23年1月11日(2011.1.11)
【手続補正１】
【補正対象書類名】明細書
【補正対象項目名】００８９
【補正方法】変更
【補正の内容】
【００８９】
pKaは、未加工部分(green part)の硬化、外観、正確さ、最終浸透強度、及び硬化時間、の好ましい組み合わせにより物品を製造するのに使用する必要のある酸の好ましい量を変化させる。図９を参照するに、３次元プロットは、水溶性、オクタノール-水分配係数Kow、及びイオン化常数pKaの結合したパラメーター間の関係示すのに使用される。３D印刷のための石膏を基材とする粉システム中での使用のための酸性化剤の好ましい領域901は、logKow(−1〜0.5)、pKa(−2.8〜3.2)、溶解度(0〜10g/100ml)、の範囲を結合して描かれる境界付けられた箱(bounding box)により示され得る。これらのパラメーターは、石膏を基材とする３次元印刷システム中のシアノアクリレートの阻害剤としての使用のための酸成分を選択するのに使用され得る。何れか１つのパラメーターの最適化は、強度，硬化速度、及び物品外観における欠点をもたらし得る。
【手続補正２】
【補正対象書類名】特許請求の範囲
【補正対象項目名】全文
【補正方法】変更
【補正の内容】
【特許請求の範囲】
【請求項１】
３次元印刷に適合した粉であって、該粉は、
水溶性接着剤；
石膏；
石膏硬化促進剤；
少なくとも90の明度L*と5.5までの彩度C*を持つ白色化剤；
及び
酸を含む固体粒状添加剤、
を含む、バラバラで、乾燥した、そして自由流動性の粒状混合物、を含み、
（ｉ）該粒状材料は複数の層を含む物品を形成する３次元印刷における使用に適合しており、該層は、該粒状材料と、３次元印刷の間に該粒状材料と接触する水性流体、との反応生成物を含み、そして（ii）該酸は、1〜4の範囲から選ばれる酸解離定数pKa、及び−1〜0.5の範囲から選ばれるオクタノール−水係数Kowを持ち、シアノアクリレート浸透剤の該物品への浸透を促進するためこの浸透剤の重合速度を遅らせるのに適合している、
粉。
【請求項２】
該乾燥した粒状混合物が少なくとも0.10のBredtパラメーターを持つ、請求項１に記載の粉。
【請求項３】
該粒状混合物の内部摩擦角が40°〜70°の範囲から選ばれる値を持つ、請求項１に記載の粉。
【請求項４】
該粒状混合物が0.01〜5重量％の白色化剤を含む、請求項１に記載の粉。
【請求項５】
該白色化剤の屈折率が少なくとも1.9である、請求項１に記載の粉。
【請求項６】
該白色化剤が、少なくとも5mg/リットルの、5重量％グリセロール水溶液中の溶解度を持つ、請求項１に記載の粉。
【請求項７】
該白色化剤が第２の水溶性接着剤を含む、請求項１に記載の粉。
【請求項８】
該白色化剤が、高白色度澱粉又は高白色度澱粉誘導体からなる群から選ばれる、請求項１に記載の粉。
【請求項９】
該白色化剤が5重量％グリセロール水溶液に不溶である、請求項１に記載の粉。
【請求項１０】
該白色化剤が、酸化亜鉛、酸化チタン、中空ガラス球、石灰石、クレー、及びそれらの組み合わせ、からなる群から選ばれる、請求項１に記載の粉。
【請求項１１】
該水溶性接着剤がポリビニルアルコールを含む、請求項１に記載の粉。
【請求項１２】
酸の酸解離定数pKaが３であり且つ酸のオクタノール−水係数Kowが−0.5〜0.5の範囲から選ばれる、請求項１に記載の添加剤。
【請求項１３】
該粒状混合物が0.01〜5重量％の固体粒状添加剤を含む、請求項１に記載の粉。
【請求項１４】
該固体粒状添加剤が、フマル酸、酒石酸、グルコン酸、アジピン酸、グルコノデルタラクトン(GdL)、エチレンジアミンテトラ酢酸、コハク酸、フェノール性化合物、及びそれらの組み合わせ、からなる群から選ばれる、請求項１に記載の粉。
【請求項１５】
該石膏が、焼石膏、石灰の硫酸塩、水和硫酸カルシウム、歯科用石膏、CaSO4・1/2H2O、CaSO4・2H2O、及びそれらの組み合わせ、からなる群から選ばれる、請求項１に記載の粉。
【請求項１６】
該石膏硬化促進剤が、水和天然石膏、硫酸カリウム、硫酸カリウムアルミニウム，及びそれらの組み合わせ、からなる群から選ばれる、請求項１に記載の粉。
【請求項１７】
該固体粒状添加剤が、該石膏と該水性流体との間の反応速度に影響を与える触媒ではない、請求項１に記載の粉。
【請求項１８】
３次元印刷用粉の水溶性成分を活性化するための水性流体であって、該水性流体は
水；
保湿剤；
流動性改良剤；
界面活性剤；
防腐剤；及び
0.05〜5重量％の光学的増白剤；
を含み、
(i)該流体は透明で、1〜1.35cpsの範囲から選ばれる粘度、30〜36ダイン／cmの範囲から選ばれる表面張力、及び4.9〜10.3の範囲から選ばれるpHを持ち、(ii)該光学的増白剤は400ナノメータ未満の紫外線を吸収しかつ400〜450ナノメーターの間の青色光を再放射することにより物品の認識される白色度を高めるのに適合している、
水性流体。
【請求項１９】
該光学的増白剤が、スチルベン化学に基づく蛍光増白剤又はジスチリルビフェニルを含む、請求項１８に記載の水性流体。
【請求項２０】
水溶性接着剤；
請求項１記載の粉；及び
請求項１８記載の水性流体、
を含むキット。
【請求項２１】
３次元印刷により物品を形成する方法であって、次の工程を含む方法：
複数の隣接する粒子を含む、バラバラで、乾燥した、そして自由流動性の粒状混合物を提供し、該粒状混合物は水溶性接着剤、石膏、石膏硬化促進剤、白色化剤及び酸を含む固体粒状添加剤を含み；そして
少なくとも幾分かの該複数の粒子に、それらの粒子を互いに結合し該物品の少なくとも１部分を輪郭付けるに十分な量の水性流体を適用し、該水性流体は水、保湿剤、流動性改良剤、界面活性剤、防腐剤、及び光学的増白剤を含み、
該物品の輪郭付けられた部分は機械的攪拌及び補助的な電磁的放射なしに固化する。
【請求項２２】
該方法により形成される物品が、形成されてから1時間以内に少なくとも1MPaの強度を発揮する、請求項２１に記載の方法。
【請求項２３】
シアノアクリレートを基材とする接着剤により該物品を浸透することを更に含み、該物品が浸透の１時間以内に最終到達浸透後強度を発揮する、請求項２１に記載の方法。
【請求項２４】
３次元印刷プロセスにより製造された固体の物品であって、該固体の物品は次のものを含む混合物の反応生成物を含み：
水溶性接着剤、部分溶解性充填剤、促進剤、1〜4の範囲から選ばれる酸解離定数pKaを持つ添加剤、及び白色化剤、を含む粒状材料；及び
水、保湿剤、流動性改質剤、界面活性剤、防腐剤、及び光学的増白剤、を含む水性流体、
ここで、該粒状材料は該水性流体の少なくとも１部と反応して、該反応生成物の均一に分布した複数の層を含む固体の物品を形成する。
【請求項２５】
該物品が更にシアノアクリレートをベースとする接着剤をさらに含み、そしてシアノアクリレートをベースとする接着剤の浸透１時間後で15MPaより大きい最終到達強度を持つ、請求項２４に記載の物品。
【請求項２６】
該粒状混合物が石膏抑制剤を実質的に含まない、請求項１記載の粉。
【請求項２７】
該粒状混合物が50〜95重量％の石膏を含む、請求項１記載の粉。
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
表面処理された３次元物体を形成するための方法であって、
高速製造された３次元物体であって、組成に熱可塑性材料を含み、高速製造技術による表面効果を含む外表面を有する３次元物体を用意するステップと、
高速製造された前記３次元物体の前記外表面を、溶剤を用いた平滑化プロセスによって平滑化するステップであって、該溶剤を用いた平滑化プロセスは、平滑化するステップが行われる前の外表面より光沢度がより高い外表面であって溶剤を用いて平滑化された外表面を提供するために表面効果を低減又は除去するための蒸気平滑化プロセスを含むステップと、
前記溶剤によって平滑化された外表面の少なくとも一部を媒体を用いてブラスト加工するステップであって、その媒体を用いたブラスト加工ステップが行われる前の外表面であって溶剤を用いて平滑化されたその外表面よりも光沢度がより低い、研磨された外表面を提供するステップと、
を含む、方法。
【請求項２】
前記溶剤を用いた平滑化プロセスは、前記外表面における、前記３次元物体の気孔率を減少させる、請求項１に記載の方法。
【請求項３】
前記溶剤を用いた平滑化プロセスにて、塩化メチレン、臭化ｎ−プロピル、ペルクロロエチレン、トリクロロエチレン、アセトン、メチルエチルケトン、ジメチルアセトアミド、キシレン、トルエン、水、アルコール、およびそれらの組み合わせから成る群から選択される溶剤が使用される、請求項１又は請求項２に記載の方法。
【請求項４】
前記外表面を平滑化するステップに先立って、前記高速製造された３次元物体を、常温を下回る温度に冷却するステップをさらに含む、請求項１ないし請求項３の何れか１項に記載の方法。
【請求項５】
前記高速製造された３次元物体を、フック状部材から懸架するステップをさらに含む、請求項１ないし請求項４の何れか１項に記載の方法。
【請求項６】
前記溶剤によって平滑化された外表面から、少なくとも１つの表面欠陥を研磨除去するステップをさらに含む、請求項１ないし請求項５の何れか１項に記載の方法。
【請求項７】
前記媒体を用いたブラスト加工は、重炭酸ナトリウムを用いたブラスト加工を含む、請求項１ないし請求項６の何れか１項に記載の方法。
【請求項８】
前記３次元物体の外表面の鏡面反射率を監視するステップをさらに含む、請求項１ないし請求項７の何れか１項に記載の方法。
【請求項９】
前記鏡面反射率が所定のレベルに到達すると、前記溶剤を用いた平滑化プロセスを中断する動作と、前記媒体を用いたブラスト加工を中断する動作と、から成る群から選択される動作を実施するステップをさらに含む、請求項８に記載の方法。
【請求項１０】
表面処理された３次元物体を形成するための方法であって、
３次元物体の少なくとも一部を、熱可塑性材料から高速製造技術によって構築するステップであって、前記３次元物体が、高速製造技術による表面効果を含む外表面を有する、ステップと、
高速製造された３次元物体の外表面を、蒸気平滑化プロセスによって平滑化し、前記表面効果を低減又は除去して前記外表面の鏡面反射率を増加させるステップと、
溶剤を用いて平滑化された外表面の少なくとも一部を媒体を用いてブラスト加工し、前記外表面の前記鏡面反射率を低減させるステップと、
を含む、方法。
【請求項１１】
前記蒸気平滑化プロセスにて、塩化メチレン、臭化ｎ−プロピル、ペルクロロエチレン、トリクロロエチレン、アセトン、メチルエチルケトン、ジメチルアセトアミド、キシレン、トルエン、水、アルコール、およびそれらの組合せからなる群から選択される溶剤が用いられる、請求項１０に記載の方法。
【請求項１２】
前記平滑化プロセスは、前記外表面における、前記３次元物体の気孔率を減少させる、請求項１０又は請求項１１に記載の方法。
【請求項１３】
前記外表面の鏡面反射率を監視するステップをさらに含む、請求項１０ないし請求項１２の何れか１項に記載の方法。
【請求項１４】
前記媒体を用いたブラスト加工のプロセスは、重炭酸ナトリウムによるブラスト加工を含む、請求項１０ないし請求項１３の何れか１項に記載の方法。
【手続補正２】
【補正対象書類名】明細書
【補正対象項目名】００３２
【補正方法】変更
【補正の内容】
【００３２】
図２は、蒸気平滑化プロセスを受けた後の３Ｄ物体の写真である。図に示されるように、３Ｄ物体は、階段状の外観が実質的に除去された平滑かつ光沢のある外表面を含んでいた。図２では、光沢のある仕上げを観察できる。それは、３Ｄ物体の外表面に沿った種々の場所における光反射による。しかしながら、さらに示されるように、３Ｄ物体の小穴はまた、プラスチック材料内に表面欠陥を含んでいた。蒸気平滑化プロセスの間、表面プラスチック材料の還流によって、プラスチック材料の一部が、ワイヤ部材上に流動した。次いで、ワイヤ部材のその後の除去によって、小穴において、３Ｄ物体の外表面に欠陥が形成され、裸眼でも容易に目に見え、３Ｄ物体の美的品質が損なわれていた。
【手続補正書】
【提出日】平成23年1月5日(2011.1.5)
【手続補正１】
【補正対象書類名】特許請求の範囲
【補正対象項目名】請求項１９
【補正方法】変更
【補正の内容】
【請求項１９】
請求項１７において、前記加圧された流体は、前記ピストンの対向する側にある前記シリンダ内の２つのチャンバに配置され、前記圧力トランスデューサは前記チャンバのうちの一方の流体圧力を検出する、射出成形金型。
【手続補正２】
【補正対象書類名】特許請求の範囲
【補正対象項目名】請求項５０
【補正方法】変更
【補正の内容】
【請求項５０】
請求項４７または請求項４８において、前記射出口は前記雌部を通って伸張している射出装置に含まれる、方法。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
関連物品を包装するための包装装置で用いるシャットル交換システムにおいて、
前記包装装置は鉛直に配向した楕円形の軌道を有し、前記軌道は、片持ち梁状のベース部と、前記物品を該軌道へ出し入れするために開くことのできる部分とを有しており、
前記包装装置は、前記軌道内周に沿って移動するシャットルを含み、該シャットルから前記物品の周囲に巻付けるための包装材料が供給され、
前記シャットル交換システムは、
キャリアと、
前記キャリア上に互いに離間させて取付けられた一対のトラック部材とを具備し、
前記トラック部材は互いに平行に配置され、かつ、シャットルを支持するようになっており、
前記キャリアは、前記一対のトラックの何れか一方を前記軌道の片持ち梁状のベース部に対して整列させるために、鉛直方向、長手方向および横断方向に移動自在となっており、前記トラックの一方が交換すべきシャットルを受容し、かつ、前記トラックの他方が前記軌道上に移動させるべく交換シャットルを保持するようになっており、前記キャリアは、前記軌道の開くことのできる部分が干渉することなく開閉できるようにするために、前記軌道から離反可能となっているシャットル交換システム。
【請求項２】
前記シャットルがフィルム供給車を含む請求項１に記載のシャットル交換システム。
【請求項３】
前記供給車が、ポリマーフィルムを供給する請求項２に記載のシャットル交換システム。
【請求項４】
前記供給車が、布帛の包装部材を供給する請求項２に記載のシャットル交換システム。
【請求項５】
前記シャットルが駆動部と、フィルム供給車とを含み、該供給車が前記駆動部によって牽引されるようにした請求項１に記載のシャットル交換システム。
【請求項６】
前記シャットルが、駆動部と、一対のフィルム供給車とを含み、該供給車が前記駆動部によって牽引され、また、前記一対の供給車の一方がポリマーフィルムを供給し、前記一対の供給車の他方が布帛を供給する請求項１に記載のシャットル交換システム。
【請求項７】
前記軌道の開くこととのできる部分が、シャットル交換のために移動するようにした請求項１に記載のシャットル交換システム。
【請求項８】
前記シャットル交換システムが、並設された少なくとも一対のトラック部材を含む請求項１に記載のシャットル交換システム。
【請求項９】
前記少なくとも一対のトラック部材は、前記機械の軌道の下方部分の前方へ延びるように配置されている請求項８に記載のシャットル交換システム。
【請求項１０】
前記トラック部材が、共通の巻取り要素を有しており、該巻取り要素は、前記機械の軌道から余分なフィルムを除去するようになっている請求項８に記載のシャットル交換システム。
【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
細長いウェブの位置を求める方法であって、
前記ウェブ上で長手方向に配置された、１つ以上の実質連続的な基準マークを検知する工程と、
前記基準マークに基づいて前記ウェブの長手方向位置を求める工程と、を含み、
前記１つ以上の実質連続的な基準マークを検知する工程は、前記ウェブ上に長手方向に配置される正弦基準マーク及び余弦基準マークを検知することを含む、方法。
【請求項２】
細長いウェブの位置を求めるための装置であって、
前記ウェブ上に長手方向に配置される１つ以上の実質連続的な基準マークを検知し、前記基準マークに対応する信号を発生するように構成された１つ以上のセンサと、
前記センサの信号を受信し、前記センサの信号を使用して前記ウェブの長手方向位置を求めるように構成された位置検出器と、を含み、
前記１つ以上の実質連続的な基準マークは、正弦基準マーク及び余弦基準マークを含む、方法。
【手続補正書】
【提出日】平成23年1月7日(2011.1.7)
【手続補正１】
【補正対象書類名】明細書
【補正対象項目名】０１７４
【補正方法】変更
【補正の内容】
【０１７４】
したがって、好ましくは式（４）のＲ４がモルホリニルであり、工程ｂ）で用いるビフェニル化合物がビフェニルマグネシウムハライドであるか、または
式（４）のＲ４が塩化物であり、工程ｂ）で用いるビフェニル化合物がビフェニルである。
【手続補正２】
【補正対象書類名】明細書
【補正対象項目名】０１８９
【補正方法】変更
【補正の内容】
【０１８９】
所望により、式（１０）の化合物またはその塩を閉環条件下で反応させて式（１）（式中、Ｒ１は水素である）の化合物またはその塩を得た後、上記定義のような好適な窒素保護剤で処理してＲ１が窒素保護基である式（１）の化合物を得ることができる。
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
７−［（１Ｒ，５Ｓ）−１−アミノ−５−フルオロ−３−アザビシクロ［３．３．０］オクタン−３−イル］−６−フルオロ−１−［（１Ｒ，２Ｓ）−２−フルオロシクロプロパン−１−イル］−１，４−ジヒドロ−８−メトキシ−４−オキソキノリン−３−カルボン酸、その塩、またはそれらの水和物。
【請求項２】
７−［（１Ｒ，５Ｓ）−１−アミノ−５−フルオロ−３−アザビシクロ［３．３．０］オクタン−３−イル］−６−フルオロ−１−［（１Ｒ，２Ｓ）−２−フルオロシクロプロパン］−１，４−ジヒドロ−８−メチル−４−オキソキノリン−３−カルボン酸、その塩、またはそれらの水和物。
【請求項３】
７−［６−アミノ−８−アザトリシクロ［４．３．０．０１，３］ノナン−８−イル］−６−フルオロ−１−［（１Ｒ，２Ｓ）−２−フルオロシクロプロピル］−１，４−ジヒドロ−８−メトキシ−４−オキソキノリン−３−カルボン酸、その塩、またはそれらの水和物。
【請求項４】
７−［（１Ｓ，６Ｓ）−１−アミノ−４−オキサ−８−アザビシクロ［４．３．０］ノナン−８−イル］−６−フルオロ−１−［（１Ｒ，２Ｓ）−２−フルオロシクロプロピル］−１，４−ジヒドロ−８−メトキシ−４−オキソキノリン−３−カルボン酸、その塩、またはそれらの水和物。
【請求項５】
７−［（１Ｓ，６Ｓ）−１−アミノ−８−アザ−３−オキサビシクロ［４，３，０］ノナン−８−イル］−６−フルオロ−１−［（１Ｒ，２Ｓ）−２−フルオロシクロプロピル］−１，４−ジヒドロ−８−メトキシ−４−オキソキノリン−３−カルボン酸、その塩、またはそれらの水和物。
【請求項６】
７−［（１Ｓ，６Ｓ）−１−アミノ−３−オキサ−８−アザビシクロ［４，３，０］ノナン−８−イル］−６−フルオロ−１−［（１Ｒ，２Ｓ）−２−フルオロシクロプロピル］−１，４−ジヒドロ−８−メチル−４−オキソキノリン−３−カルボン酸、その塩、またはそれらの水和物。
【請求項７】
７−［６−アミノ−８−アザトリシクロ［４．３．０．０１，３］ノナン−８−イル］−６−フルオロ−１−［（１Ｒ，２Ｓ）−２−フルオロシクロプロピル］−１，４−ジヒドロ−８−メチル−４−オキソキノリン−３−カルボン酸、その塩、またはそれらの水和物。
【請求項８】
請求項１から７に記載の化合物、その塩，またはそれらの水和物を活性成分として含有する医薬。
【請求項９】
請求項１から７に記載の化合物、その塩，またはそれらの水和物を活性成分として含有する抗菌薬。